(57)【要約】【課題】本発明は、マザーボードにおける主バイオスチップにデータ喪失が出現された場合、自身でマザーボードを起動して主バイオスチップに対してデータ更新を実行するバイオス更新装置及びこれを利用してバイオスデータを更新する方法を提供することを目的とする。【解決手段】本発明に係るバイオス更新装置は、第一弾性接触部を有する第一ソケットと、第二弾性接触部を有し、上面が前記第一ソケットの下面に当接する第二ソケットと、前記第二ソケットの第二弾性接触部に接続される第一ピンと、前記第一ソケット又は前記第二ソケットの電圧信号端子に接続される第二ピンと、前記第一ソケットの第一弾性接触部に接続される第三ピンと、前記第一ソケット又は前記第二ソケットの接地信号端子に接続される第四ピンと、を含むジャンパスイッチと、を備える。【選択図】図１
2012084143.tif 000002
【特許請求の範囲】
【請求項１】
第一弾性接触部を有する第一ソケットと、
第二弾性接触部を有し、上面が前記第一ソケットの下面に当接する第二ソケットと、
前記第二ソケットの第二弾性接触部に接続される第一ピンと、前記第一ソケット又は前記第二ソケットの電圧信号端子に接続される第二ピンと、前記第一ソケットの第一弾性接触部に接続される第三ピンと、前記第一ソケット又は前記第二ソケットの接地信号端子に接続される第四ピンと、を含むジャンパスイッチと、
を備えることを特徴とするバイオス更新装置。
【請求項２】
前記ジャンパスイッチの第二ピンは、抵抗を介して前記第一ソケット又は前記第二ソケットの電圧信号端子に接続されることを特徴とする請求項１に記載のバイオス更新装置。
【請求項３】
前記第一ソケットには、第一バイオスチップが装着され、
前記第二ソケットには、マザーボードにおける第二バイオスチップが接続されることを特徴とする請求項２に記載のバイオス更新装置。
【請求項４】
前記第一弾性接触部は、前記第一バイオスチップのＩＮＩＴＪピンに接続され、
前記第二弾性接触部は、前記第二バイオスチップのＩＮＩＴＪピンに接続されることを特徴とする請求項３に記載のバイオス更新装置。
【請求項５】
前記ジャンパスイッチの第二ピンは、前記第一ソケットにおける第一バイオスチップのＶＣＣピン又はＶＣＣＡピンに接続されることを特徴とする請求項４に記載のバイオス更新装置。
【請求項６】
前記ジャンパスイッチの第四ピンは、前記第一ソケットにおける第一バイオスチップのＧＮＤピン又はＧＮＤＡピンに接続されることを特徴とする請求項１に記載のバイオス更新装置。
【請求項７】
請求項１に記載のバイオス更新装置を利用してバイオスのデータを更新する方法は、
前記バイオス更新装置のジャンパスイッチにおける第二ピンと第三ピンとを短絡させ、第一ピンと第四ピンとを短絡させて、第一バイオスチップを選択し、前記第一バイオスチップを前記バイオス更新装置の第一ソケットに装着するステップと、
前記バイオス更新装置をコンピュータのマザーボードにおける前記第二バイオスチップに接続してから、前記コンピュータを起動し、前記コンピュータにバイオス更新プログラムが予め設定されているステップと、
前記第一バイオスチップはＰＯＳＴを実行するステップと、
前記第一バイオスチップはオペレーティングシステムを設定モードに移行させてから、前記ジャンパスイッチにおける第一ピンと第二ピンとを短絡させ、第三ピンと第四ピンとを短絡させて、前記第二バイオスチップを選択するステップと、
前記バイオス更新プログラムは前記第一バイオスチップにおけるデータに基づいて、前記マザーボードにおける第二バイオスチップに対してデータ更新を実行するステップと、
を含むことを特徴とするバイオスのデータを更新する方法。
【請求項８】
バイオスのデータを更新する方法は、
データ更新が完了された後、前記第二バイオスチップはコンピュータの再起動指令を出力し、前記コンピュータが再起動されれば、前記第二バイオスチップはオペレーティングシステムを設定モードに移行させるステップをさらに含むことを特徴とする請求項７に記載のバイオスのデータを更新する方法。
【請求項９】
請求項１に記載のバイオス更新装置を利用してバイオスのデータを更新する方法は、
前記バイオス更新装置のジャンパスイッチにおける第一ピンと第二ピンとを短絡させ、第三ピンと第四ピンとを短絡させて、第二バイオスチップを選択し、第一バイオスチップを前記バイオス更新装置の第一ソケットに装着するステップと、
前記バイオス更新装置をコンピュータのマザーボードにおける前記第二バイオスチップに接続してから、前記コンピュータを起動し、前記コンピュータにバイオス更新プログラムが予め設定されているステップと、
前記第二バイオスチップはＰＯＳＴを実行するステップと、
前記第二バイオスチップはオペレーティングシステムを設定モードに移行させてから、前記ジャンパスイッチにおける第二ピンと第三ピンとを短絡させ、第一ピンと第四ピンとを短絡させて、前記第一バイオスチップを選択するステップと、
前記バイオス更新プログラムは前記第二バイオスチップにおけるデータに基づいて、前記バイオス更新装置における第一バイオスチップに対してデータ更新を実行するステップと、
を含むことを特徴とするバイオスのデータを更新する方法。
【発明の詳細な説明】
【技術分野】
【０００１】
本発明は、バイオス更新装置及びこれを利用してバイオスデータを更新する方法に関するものである。
【０００２】
コンピュータのマザーボード（Ｍａｉｎｂｏａｒｄ）のテスト及び使用過程において、バイオス（ベーシック  インプット／アウトプット  システム、ＢＩＯＳ）データを失うと、新しいバイオスチップを取替えなければならない。しかし、バイオスチップを取替えるために、専門工具を必要とするので、操作が複雑で、且つ比較的厳格な操作技術を必要とする。しかも、バイオスチップの周囲に他の部品、回路及びソケット等が存在するため、操作不当によるマザーボード全体の破損を招く可能性もある。
【０００３】
現在、デュアルバイオス技術（１つのマザーボードに２つのバイオスチップを装着すること）を採用して上述の問題を解決している。即ち、１つのバイオスチップが破損されると、他のバイオスチップを起動する。しかし、２つのバイオスチップを採用するマザーボードにおいても、パルス電圧又は静電放電（Ｅｌｅｃｔｒｏｓｔａｔｉｃ  Ｄｉｓｃｈａｒｇｅ）により２つのバイオスチップが破損されることで、マザーボードが失効することができる。また、１つのマザーボードに２つのバイオスチップを装着することによって、マザーボードの生産コストが向上される。これらの生産コストの向上の圧力によって、多くの製造メーカーは、デュアルバイオスのマザーボードに１つのバイオスチップだけを装着する。
【発明の概要】
【発明が解決しようとする課題】
【０００４】
以上の問題点に鑑みて、本発明は、マザーボードにおける主バイオスチップにデータ喪失が出現された場合、自身でマザーボードを起動して主バイオスチップに対してデータ更新を実行するバイオス更新装置及びこれを利用してバイオスデータを更新する方法を提供することを目的とする。
【課題を解決するための手段】
【０００５】
前記問題を解決するために、本発明に係るバイオス更新装置は、第一弾性接触部を有する第一ソケットと、第二弾性接触部を有し、上面が前記第一ソケットの下面に当接する第二ソケットと、前記第二ソケットの第二弾性接触部に接続される第一ピンと、前記第一ソケット又は前記第二ソケットの電圧信号端子に接続される第二ピンと、前記第一ソケットの第一弾性接触部に接続される第三ピンと、前記第一ソケット又は前記第二ソケットの接地信号端子に接続される第四ピンと、を含むジャンパスイッチと、を備える。
【０００６】
また、本発明に係るバイオス更新装置を利用してバイオスのデータを更新する方法は、前記バイオス更新装置のジャンパスイッチにおける第二ピンと第三ピンとを短絡させ、第一ピンと第四ピンとを短絡させて、第一バイオスチップを選択し、前記第一バイオスチップを前記バイオス更新装置の第一ソケットに装着するステップと、前記バイオス更新装置をコンピュータのマザーボードにおける前記第二バイオスチップに接続してから、前記コンピュータを起動し、前記コンピュータにバイオス更新プログラムが予め設定されているステップと、前記第一バイオスチップはＰＯＳＴを実行するステップと、前記第一バイオスチップはオペレーティングシステムを設定モードに移行させてから、前記ジャンパスイッチにおける第一ピンと第二ピンとを短絡させ、第三ピンと第四ピンとを短絡させて、前記第二バイオスチップを選択するステップと、前記バイオス更新プログラムは前記第一バイオスチップにおけるデータに基づいて、前記マザーボードにおける第二バイオスチップに対してデータ更新を実行するステップと、を含む。
【０００７】
また、本発明に係るバイオス更新装置を利用してバイオスのデータを更新する方法は、前記バイオス更新装置のジャンパスイッチにおける第一ピンと第二ピンとを短絡させ、第三ピンと第四ピンとを短絡させて、第二バイオスチップを選択し、第一バイオスチップを前記バイオス更新装置の第一ソケットに装着するステップと、前記バイオス更新装置をコンピュータのマザーボードにおける前記第二バイオスチップに接続してから、前記コンピュータを起動し、前記コンピュータにバイオス更新プログラムが予め設定されているステップと、前記第二バイオスチップはＰＯＳＴを実行するステップと、前記第二バイオスチップはオペレーティングシステムを設定モードに移行させてから、前記ジャンパスイッチにおける第二ピンと第三ピンとを短絡させ、第一ピンと第四ピンとを短絡させて、前記第一バイオスチップを選択するステップと、前記バイオス更新プログラムは前記第二バイオスチップにおけるデータに基づいて、前記バイオス更新装置における第一バイオスチップに対してデータ更新を実行するステップと、を含む。
【発明の効果】
【０００８】
本発明に係るバイオス更新装置及びその装置を利用するバイオスデータの更新方法において、マザーボードにおける主バイオスチップにデータ喪失が出現された場合、自身でマザーボードを起動して主バイオスチップに対してデータ更新を実行して、マザーボードにおける主バイオスチップを修復するため、バイオスチップの修復時間を短縮し、マザーボードの生産コストを低下する一方、マザーボードの生産効率を向上させる。
【図面の簡単な説明】
【０００９】
【図１】本発明の実施形態に係るバイオス更新装置の分解図である。
【図２】本発明の実施形態に係るバイオス更新装置の組立図である。
【図３】本発明の実施形態に係るバイオス更新装置、第一バイオスチップ及び第二バイオスチップを示す図である。
【図４】図３に示した第一バイオスチップと第二バイオスチップとの接続の回路原理図である。
【図５】本発明の第一実施形態に係るバイオス更新装置を利用してバイオスデータを更新する方法のフローチャートである。
【図６】本発明の第二実施形態に係るバイオス更新装置を利用してバイオスデータを更新する方法のフローチャートである。
【発明を実施するための形態】
【００１０】
以下、図面に基づいて、本発明に係るバイオス更新装置及びこれを利用してバイオスデータを更新する方法について詳細に説明する。
【００１１】
図１及び図２に示したように、本実施形態において、バイオス更新装置Ｘは、第一ソケット１０、ジャンパスイッチ（Ｊｕｍｐｅｒ  Ｓｗｉｔｃｈ）３０及び第二ソケット２０を備える。前記第一ソケット１０及び前記第二ソケット２０は、それぞれ前記ジャンパスイッチ３０に接続され、且つ前記第一ソケット１０の下面１３は前記第二ソケット２０の上面２３に当接し、前記第一ソケット１０の第２４番目のピンを除いた他のピンは、前記第二ソケット２０の対応するピンに接続されて、前記第一ソケット１０は上方に位置し、前記第二ソケット２０は下方に位置する。
【００１２】
図３を参照すると、前記第一ソケット１０は、第一バイオスチップ１１を装着するために用いられ、前記第二ソケット２０は、マザーボードＹの第二バイオスチップ２１に接続するために用いられる。本実施形態において、前記第一バイオスチップ１１を従属バイオス（Ｓｌａｖｅ  ＢＩＯＳ）とし、前記第二バイオスチップ２１を主バイオス（Ｍａｓｔｅｒ  ＢＩＯＳ）とする。
【００１３】
図１及び図４を参照すると、前記ジャンパスイッチ３０は、第一ピン（１）、第二ピン（２）、第三ピン（３）、第四ピン（４）の４つのピンを備える。前記第一ピン（１）は、導線を介して前記第二ソケット２０の第二弾性接触部２１０に接続され、前記第二ピン（２）は、１００オーム（Ω）の抵抗Ｒ１を介して前記第一ソケット１０又は前記第二ソケット２０の電圧信号端子（例えば、３Ｄ３Ｖ＿ＳＹＳ電圧信号）に接続され、前記第三ピン（３）は、導線を介して前記第一ソケット１０の第一弾性接触部１１０に接続され、前記第四ピン（４）は、前記第一ソケット１０又は前記第二ソケット２０の接地信号端子に接続される。前記第一弾性接触部１１０は、前記第一バイオスチップ１１のＩＮＩＴＪピン（即ち、第２４番目のピン）に接続され、前記第二弾性接触部２１０は、前記第二バイオスチップ２１のＩＮＩＴＪピン（即ち、第２４番目のピン）に接続されて、前記ジャンパスイッチ３０の前記第一バイオスチップ１１及び前記第二バイオスチップ２１に対する切替制御を実現する。
【００１４】
本実施形態において、前記ジャンパスイッチ３０の第二ピン（２）は、前記第一ソケット１０における第一バイオスチップ１１の第２５番目のピン（ＶＣＣピン）、第２７番目のピン（ＶＣＣＡピン）又は第３２番目のピン（ＶＣＣピン）に接続することができ、又は以上の３つのピン（第２５番目のピン、第２７番目のピン及び第３２番目のピン）に同時に接続することができ、前記ジャンパスイッチ３０の第四ピン（４）は、前記第一ソケット１０における第一バイオスチップ１１の第１６番目のピン（ＧＮＤピン）、第２６番目のピン（ＧＮＤピン）又は第２８番目のピン（ＧＮＤＡピン）に接続することができ、又は以上の３つのピン（第１６番目のピン、第２６番目のピン及び第２８番目のピン）に同時に接続することができる。
【００１５】
他の実施形態において、前記ジャンパスイッチ３０の第二ピン（２）は、前記第二ソケット２０における第二バイオスチップ２１の第２５番目のピン（ＶＣＣピン）、第２７番目のピン（ＶＣＣＡピン）又は第３２番目のピン（ＶＣＣピン）に接続することができ、又は以上の３つのピン（第２５番目のピン、第２７番目のピン及び第３２番目のピン）に同時に接続することができ、前記ジャンパスイッチ３０の第四ピンは、前記第二ソケット２０における第二バイオスチップ２１の第１６番目のピン（ＧＮＤピン）、第２６番目のピン（ＧＮＤピン）又は第２８番目のピン（ＧＮＤＡピン）に接続することができ、又は以上の３つのピン（第１６番目のピン、第２６番目のピン及び第２８番目のピン）に同時に接続することができる。
【００１６】
本実施形態において、前記抵抗Ｒ１の作用は、前記第一バイオスチップ１１及び前記第二バイオスチップ２１のＩＮＩＴＪピンに適当な電流を供給して、対応するＦＷＨ＿ＩＮＩＴＪ信号（例えば、ＦＷＨ＿ＩＮＩＴＪ１信号及びＦＷＨ＿ＩＮＩＴＪ２信号）を生成することである。他の実施形態において、前記抵抗Ｒ１は省略されることもできる。
【００１７】
本実施形態において、バイオスデータを更新する時、前記ジャンパスイッチ３０は以下の２つの状態に設定されることができる。
【００１８】
状態Ａ：前記ジャンパスイッチ３０の第二ピン（２）と第三ピン（３）とを短絡（２−３  ｓｈｏｒｔ）させ、前記ジャンパスイッチ３０の第一ピン（１）と第四ピン（４）とを短絡（１−４  ｓｈｏｒｔ）させて、ＦＷＨ＿ＩＮＩＴＪ１＝０、ＦＷＨ＿ＩＮＩＴＪ２＝１であり、第一バイオスチップ１１が選択される。
【００１９】
状態Ｂ：前記ジャンパスイッチ３０の第一ピン（１）と第二ピン（２）とを短絡（１−２  ｓｈｏｒｔ）させ、前記ジャンパスイッチ３０の第三ピン（３）と第四ピン（４）とを短絡（３−４  ｓｈｏｒｔ）させて、ＦＷＨ＿ＩＮＩＴＪ１＝１、ＦＷＨ＿ＩＮＩＴＪ２＝０であり、第二バイオスチップ２１が選択される。
【００２０】
図５は、本発明の第一実施形態に係るバイオス更新装置Ｘを利用してバイオスデータを更新する方法のフローチャートである。この実施形態は、前記マザーボードＹにおける第二バイオスチップ２１にデータ喪失が出現された場合、前記バイオス更新装置Ｘにおける第一バイオスチップ１１で前記第二バイオスチップ２１のデータを更新（修復）する。また、図５に示したフローチャートの各々のステップの出現順序は、これらのステップの実際の実行順序と異なってもよく、あるステップの実行順序は適当に改変されることもできる。
【００２１】
ステップＳ１０では、ジャンパスイッチ３０を状態Ａに設定する。
【００２２】
ステップＳ１１では、バイオス更新装置ＸをコンピュータのマザーボードＹにおける第二バイオスチップ２１に接続してから、前記コンピュータを起動する。本実施形態において、前記第二バイオスチップ２１は、前記バイオス更新装置Ｘの第二ソケット２０に接続する。
【００２３】
ステップＳ１２では、前記第一バイオスチップ１１は、ＰＯＳＴ（Ｐｏｗｅｒ−ｏｎ  ｓｅｌｆ−ｔｅｓｔ）を実行する。
【００２４】
ステップＳ１３では、前記第一バイオスチップ１１はオペレーティングシステム（Ｏｐｅｒａｔｉｎｇ  Ｓｙｓｔｅｍ，ＯＳ）を設定モード（ＤＯＳモード又はＷｉｎｄｏｗｓ（登録商標）モード）に移行させ、前記ジャンパスイッチ３０を状態Ｂに設定する。
【００２５】
ステップＳ１４では、前記オペレーティングシステムはバイオス更新プログラムを実行し、前記バイオス更新プログラムは、前記第一バイオスチップ１１におけるデータに基づいて、前記マザーボードＹにおける第二バイオスチップ２１に対してデータ更新を実行する。例えば、ユーザはＤＯＳシステムでＦｌａｓｈ指令を入力すれば、前記ＤＯＳシステムはバイオス更新プログラムをコール（Ｃａｌｌ）してから、前記バイオス更新プログラムを実行する。本実施形態において、前記バイオス更新プログラムは、コンピュータのハードディスク又はフロッピー（登録商標）ディスクに予め設定されている。
【００２６】
ステップＳ１５では、データ更新が完了されると、更新後の第二バイオスチップ２１はコンピュータの再起動指令を出力する。コンピュータが再起動されてから、前記第二バイオスチップ２１はオペレーティングシステムを設定モードに移行させる。もし、前記第二バイオスチップ２１が前記オペレーティングシステムを正常に設定モードに移行させれば、バイオスデータの更新が成功されたこと（即ち、前記マザーボードＹにおける第二バイオスチップ２１が修復されたこと）を表す。
【００２７】
また、バイオス更新装置Ｘを利用してバイオスデータを更新する方法が、前記第二バイオスチップ２１を更新した後、コンピュータを終了し、前記バイオス更新装置Ｘを前記マザーボードＹから取り外すステップをさらに含むことは自明である。
【００２８】
図６は、本発明の第二実施形態に係るバイオス更新装置Ｘを利用してバイオスデータを更新する方法のフローチャートである。この実施形態は、前記マザーボードＹにおける第二バイオスチップ２１におけるデータをバイオス更新装置Ｘにおける第一バイオスチップ１１にバックアップする。また、図６に示したフローチャートの各々のステップの出現順序は、これらのステップの実際の実行順序と異なってもよく、あるステップの実行順序は適当に改変されることもできる。
【００２９】
ステップＳ２０では、ジャンパスイッチ３０を状態Ｂに設定する。
【００３０】
ステップＳ２１では、バイオス更新装置ＸをコンピュータのマザーボードＹにおける第二バイオスチップ２１に接続させてから、前記コンピュータを起動する。本実施形態において、前記第二バイオスチップ２１は、前記バイオス更新装置Ｘの第二ソケット２０に接続する。
【００３１】
ステップＳ２２では、前記第二バイオスチップ２１は、ＰＯＳＴを実行する。
【００３２】
ステップＳ２３では、前記第二バイオスチップ２１はオペレーティングシステムを設定モード（ＤＯＳモード又はＷｉｎｄｏｗｓ（登録商標）モード）に移行させ、前記ジャンパスイッチ３０を状態Ａに設定する。
【００３３】
ステップＳ２４では、前記オペレーティングシステムはバイオス更新プログラムを実行し、前記バイオス更新プログラムは、前記第二バイオスチップ２１におけるデータに基づいて、前記バイオス更新装置Ｘにおける第一バイオスチップ１１に対してデータ更新を実行する。同様に、本実施形態において、前記バイオス更新プログラムは、コンピュータのハードディスク又はフロッピー（登録商標）ディスクに予め設定されている。
【００３４】
ステップＳ１５では、データ更新が完了されると、更新後の第一バイオスチップ１１はコンピュータの再起動指令を出力する。コンピュータが再起動されてから、前記第一バイオスチップ１１はオペレーティングシステムを設定モードに移行させる。もし、前記第一バイオスチップ１１が前記オペレーティングシステムを正常的に設定モードに移行させれば、前記バイオス更新装置Ｘにおける第二バイオスチップ２１のデータが前記第一バイオスチップ１１にバックアップされたことを表す。
【００３５】
また、バイオス更新装置Ｘを利用してバイオスデータを更新する方法が、前記第一バイオスチップ１１を更新した後、コンピュータを終了し、前記バイオス更新装置Ｘを前記マザーボードＹから取り外すステップをさらに含むことは自明である。
【００３６】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００３７】
Ｘ  バイオス更新装置
Ｙ  マザーボード
１０  第一ソケット
１１  第一バイオスチップ
１１０  第一弾性接触部
１３  第一ソケットの下面
２０  第二ソケット
２１  第二バイオスチップ
２１０  第二弾性接触部
２３  第二ソケットの上面
３０  ジャンパスイッチ
【図１】
2012084143.tif 000003
【図２】
2012084143.tif 000004
【図３】
2012084143.tif 000005
【図４】
2012084143.tif 000006
【図５】
2012084143.tif 000007
【図６】
2012084143.tif 000008